(57)【特許請求の範囲】
【請求項１】
商品陳列台（Ｄ）を構成する棚柱（１，１０）の下部に、側板（５，１５）の係止孔（３，１３）とピン（Ｐ）の挿入孔（４，１４）を夫々穿設し、側板（５，１５）の後部中央に横長の半円膨出部（８，１８）を、後端に棚柱（１，１０）の係止孔（３，１３）に挿入係止する下向鈎片（６，１６）を夫々形成すると共に、上部に台板（３０）の支持部（７，１７）を夫々一体形成し、膨出部（８，１８）より棚柱挿入孔（４，１４）に差込むピン（Ｐ）にて側板（５，１５）を固定し、支持部（７，１７）にて台板（３０）を支持してあり、棚柱の係止孔（３，１３）は、側板の下向鈎片（６，１６）を差し込み可能な上下方向の溝状の孔と、その下部側に側方に連続して設けてあって下向鈎片を離脱不能に係止する部分と有していることを特徴とする商品陳列台の床台。
【請求項２】
商品陳列台（Ｄ）を構成する棚柱（１，１０）の下部に、側板（５，１５）の係止孔（３，１３）とピン（Ｐ）の挿入孔（４，１４）を夫々穿設し、側板（５，１５）の後部中央に横長の半円膨出部（８，１８）を、後端に棚柱（１，１０）の係止孔（３，１３）に挿入係止する下向鈎片（６，１６）を夫々形成すると共に、上部に台板（３０）の支持部（７，１７）を夫々一体形成し、膨出部（８，１８）より棚柱挿入孔（４，１４）に差込むピン（Ｐ）にて側板（５，１５）を固定し、棚柱（１，１０）の間に直立する間柱（２０）の下部に、中側板（２５）の係止孔（２３）とピン（Ｐ）の挿入孔（２４）を穿設し、中側板（２５）の後部中央に横長の半円膨出部（２８）を、後端に間柱（２０）の係止孔（２３）に挿入係止する下向鈎片（２６）を一体形成すると共に、上部に台板（３０）の支持部（２７）を一体形成し、膨出部（２８）より柱挿入孔（２４）に差込むピン（Ｐ）にて中側板（２５）を固定し、中側板の支持部（２７）にて二組の台板（３０）を隣接支持する商品陳列台の床台。
【発明の詳細な説明】
【０００１】
【発明の属する技術分野】
この発明は、スーパーマーケット、ドラッグストア、リカーショップ、コンビニエンスストア、ホームセンター、ブテック、スポーツ用品店、カー用品店、ＡＶレンタル、書店、家電店、百貨店等において、各種の商品を展示する陳列台の床台に関するものである。
【０００２】
【従来の技術】
従来の陳列台は図１６の如く、左右の棚柱間に背板を取付けるか、棚柱間の上下部に連結材を取付け、両棚柱の下部に前脚を挿入係止し、左右の前脚間に前板を、棚柱と脚間に側板を取付け、これらの上に台板を載置し、床台を構成するものと、前脚を省略し、側板の上に台板を直接載置するものが知られている。
前脚と側板の後端に鈎爪を突出し、この鈎爪を棚柱の前面に縦列する係止孔に挿入係止するか、鈎爪が挿入係止する係止孔に、側板に設けた楔を挿入し、側板を固定していた。（例えば実開昭５４−９９５９４号公報、実開昭５４−９９５９５号公報、実開昭５５−１６９２６５  号公報、実開昭５５−１６９２６６  号公報）
【０００３】
側板にて台板を直接支持する陳列台にあっては、側板を従来より肉厚の板体で形成し、その上部片側に台板支持部を溶接により着設していた。
左右の棚柱間に間柱を直立し、該間柱に中側板を挿入係止し、中側板にて二組の台板を隣接状態で直接支持する陳列台にあっては、中側板を肉厚の板体で形成し、その上部に隣接台板の支持部を溶接により着設していた。
（例えば実開昭５７−１９８９４３  号公報）
【０００４】
【発明が解決しようとする課題】
棚柱の係止孔に側板の鈎爪を挿入係止する床台にあっては、側板の取付けは簡単容易であるが、係止孔と、これに挿入係止した鈎爪の間に隙間があるため、側板が左右に横振れし、床台が不安定になる問題点があった。
棚柱の係止孔に側板の鈎爪を挿入係止した後、その係止孔に側板より楔を挿入する床台にあっては、楔の挿入によって側板の横振れを防止し得るが、楔を出入り可能に設ける分だけ、高価になる問題点があった。
【０００５】
上部に台板の支持部を溶着する側板、及び中側板にあっては、支持部の溶接に高度の熟練を必要とし、しかも不揃いになる問題点があると共に、手数がかかるので、高価になる問題点もあった。
そこでこの発明は、従来技術の有するこのような問題点に鑑みてなされたものであり、その目的とするところは、簡単にしかも堅固に組立て得るようにした商品陳列台の床台を提供することにある。
【０００６】
【課題を解決するための手段】
上記目的を達成するために、本発明の商品陳列台の床台は、棚柱の下部に側板の係止孔とピンの挿入孔を穿設し、棚柱の間に直立する間柱の下部に、中側板の係止孔とピンの挿入孔を穿設し、側板と中側板の後端に柱の係止孔に挿入係止する下向鈎片を、後部中央に横長の半円膨出部を夫々一体形成する一方、上部に台板の支持部を夫々一体形成し、膨出部より柱に差込むピンにて側板を固定し、支持部にて台板を支持するものである。
【０００７】
側板は上部に設ける台板の支持部と、中側板の上部に設ける台板の支持部は、何れも平面状態の展開板から一体形成するものであるから、支持部を溶着するものより形成が簡単で、しかも安価に提供し得る。
棚柱の下部に係止する側板と、間柱の下部に係止する中側板は、後部中央に横長の半円膨出部を夫々設け、該膨出部より柱にピンを差込むものであるから、そのピンによって側板と中側板が堅固に固定する。
【０００８】
【発明の実施の形態】
先ず商品陳列台の概略構造を図面に基づき説明すれば、商品陳列台Ｄは図１の如く左棚柱１と右棚柱１０の下部に側板５，１５を取付け、側板５，１５間の前側に前板３５を取付け、それらの上部に台板３０を載置し、図１１の如く床台Ｆを構成する単床式と、図３の如く棚柱１，１０間に間柱２０を設け、該間柱２０の下部に中側板２５を取付け、中側板２５と側板５，１５間の前側に前板３５を夫々取付け、それらの上部に台板３０を夫々載置し、二組の床台Ｆを隣接して構成する複床式である。
【０００９】
次に本発明における床台の実施形態を単床式商品陳列台に基づき説明すれば、商品陳列台Ｄを構成する棚柱１は矩形筒状を成し、図２の如く前壁１ａに貫通孔２を縦一列、又は縦二列に穿設すると共に、前壁１ａの中央下部に側板５の係止孔３と、ピンＰの挿入孔４を穿設するもので、係止孔３と挿入孔４を貫通孔２に縦列するように穿設し、貫通孔２に棚支持腕（図示せず）を、係止孔３に側板５を挿入係止し、挿入孔４にピンＰを差し込むものである。
棚柱１０は上記棚柱１と同一構造を成し、前壁１ａに貫通孔１２を縦列に穿設すると共に、その下部に係止孔１３と挿入孔１４を縦列に穿設する。
【００１０】
間柱２０は棚柱１より幅広の矩形筒状を成し、その前壁２ａに貫通孔２２を縦二列に穿設すると共に、前壁２ａの中央下部に中側板２５の係止孔２３と、ピンＰの挿入孔２４を穿設する。
棚柱１，１０の下部に穿設する係止孔３，１３と、間柱２０の下部に穿設する係止孔２３を、上部係止孔３Ａと下部係止孔３Ｂに分散穿設し、挿入孔４を上部係止孔３Ａと下部係止孔３Ｂの間に穿設することが望ましい。
【００１１】
側板５は図５と図６の如く、板体５ａの前部に、内側上部に向けて突出する係止爪９を設け、板体５ａの後部中央に横長の半円膨出部８を形成し、板体５ａの後端より後方に向けて下向鈎片６を突出し、且つ板体５ａの上部に台板支持部７を、下部に足底５ｂを一体形成する。
側板５の膨出部８は、板体５ａの一部を外側に向けて突出するものであるし、係止爪９は板体５ａの一部を切起こして形成するものである。
【００１２】
側板５の支持部７は、板体５ａの上縁より内側に屈曲する横壁７ａと、横壁７ａの先部より直立する起立壁７ｂから成り、図９（Ａ）の如く平面状態の展開板５０より横壁７ａと起立壁７ｂを屈曲して形成する。
側板５の半円膨出部８は、板体５ａの後部中央に縦長の切込み８ａを設け、切込み８ａより側端までの板体５ａを外側に押圧して膨出するものである。
側板５の足底５ｂは平板状態より屈曲して形成する。
【００１３】
側板１５は前記側板５と左右対称形状を成すもので、板体５ａの前部に係止爪１９を切起こし、板体５ａの後部中央に横長の半円膨出部１８を、後端より後方に下向鈎片１６を形成し、下部に足底５ｂを一体形成する。
間柱２０に取付ける中側板２５は、前記側板５と同様に、板体５ａの前部に前板係止爪２９を切起こし、板体５ａの後部中央に、板体５ａを側方に突出した横長の半円膨出部２８を形成すると共に、後端に間柱２０の係止孔２３に挿入係止する下向鈎片２６を突設し、板体５ａの上部に台板支持部２７を一体に設け、下部に足底５ｂを一体形成している。
【００１４】
中側板２５の支持部２７は図７と図８の如く、板体５ａの上縁より一側に横壁７ａを屈曲し、該横壁７ａの先部より起立壁７ｂを直立すると共に、板体５ａの上部より他側に横壁７ａと面一の張出壁７ｃを切起し、張出壁７ｃの先部に起立壁７ｂと相対する直立壁７ｄを起立するもので、図９（Ｂ）の如く平面状態の展開板５０より横壁７ａと起立壁７ｂを屈曲し、張出壁７ｃと直立壁７ｄを板体５ａより切起こして形成する。
【００１５】
支持部２７の加工手段は前記例に限定されるものではなく、例えば図１０の如く展開板５０より先ず横壁７ａと足底５ｂを同一方向に屈曲すると同時に、張出壁７ｃを反対方向に屈曲し、次に起立壁７ｂと張出壁７ｃを同時に屈曲することも可能である。また先に起立壁７ｂと張出壁７ｃを屈曲し、後から横壁７ａと張出壁７ｃ、及び足底５ｂを屈曲することも可能である。
支持部２７の起立壁７ｂは一方の台板３０内に挿入し、直立壁７ｄは他方の台板３０内に挿入し、二組の台板３０を隣接支持する。
【００１６】
係止孔３，１３を、上部係止孔３Ａと下部係止孔３Ｂに分散穿設する棚柱１，１０にあっては、側板５，１５の後端に突設する下向鈎片６，１６を、上下係止孔３Ａ，３Ｂに対応するよう、上部下向鈎片６Ａと下部下向鈎片６Ｂに分散して突設し、係止孔２３を上部係止孔３Ａと下部係止孔３Ｂに分散穿設する間柱２０にあっては、中側板２５の後端に突設する下向鈎片２６を、側板５，１５と同様に上部下向鈎片６Ａと下部下向鈎片６Ｂに分散して突設する。
【００１７】
棚柱１，１０の挿入孔４，１４、及び間柱２０の挿入孔２４に差し込むピンＰは、挿入孔４，１４，２４より僅かに小径で略直角に屈曲し、直角レンチ状を成すか、直角に屈曲する脚部ｐ１の一端に頭部ｐ２を有するもので、頭部ｐ２を把握して脚部ｐ１を挿入孔４，１４，２４に差し込むものである。
台板３０は矩形枠３１の上に天板３２を張着するもので、矩形枠３１は少なくとも側板５，１５の外側に嵌挿する大きさに形成されている。
【００１８】
本発明による商品陳列台の床台は上記構造であるから、間柱２０に中側板２５を取付ける場合、図１２乃至図１４の如く中側板２５の下向鈎片２６を間柱２０の係止孔２３に向け、先ず係止孔２３の上部に差し込み、次で中側板２５を押し下げ、下向鈎片２６を係止孔２３の下部まで下降すれば、下向鈎片２６は係止孔２３に係止して離脱不能となる。
次に中側板２５の半円膨出部２８より間柱２０の挿入孔２４にピンＰを挿通すれば、該ピンＰによって中側板２５は上下方向、及び左右方向の何れにもがたつくことがなくなる。側板５，１５も同様である。
【００１９】
【実施例】
側板５，１５と中側板２５の半円膨出部８，１８，２８を、内側に突出するように形成しても同様の目的を達成する。また側板５，１５と中側板２５の足底５ｂに雌ネジ孔５ｃを穿設し、該雌ネジ孔５ｃに高低調整脚Ｇを螺入すれば、商品陳列台Ｄの傾斜を微調整し得る。
図１５の如く棚柱１，１０の前後壁１ａ，１ｂに貫通孔２，１２と係止孔３，１３、及び挿入孔４，１４を穿設し、間柱２０の前後壁２ａ，２ｂにも係止孔２３等を穿設すれば、両面式商品陳列台Ｄを構成することも可能である。
【００２０】
【発明の効果】
本発明による商品陳列台の床台は上記構造のとおりであるから、次に記載する効果を奏する。
側板の上部に設ける台板支持部と、中側板の上部に設ける台板支持部は、何れも平面状態の展開板から屈曲し、或いはその一部を切起こして一体形成するものであるから、支持部を溶着するものより形成が簡単で、溶着不良を発生することもなばかりか、量産化に適し、しかも一定の側板と中側板を安価に提供し得る優れた特徴を有する。
【００２１】
棚柱の下部に係止する側板と、間柱の下部に係止する中側板は、後部中央に横長の半円膨出部を夫々設け、該膨出部より柱にピンを差込むものであるから、そのピンによって側板と中側板が著しく堅固に固定する。その結果、側板と中側板は、上下左右方向の何れにもがたつくことがなくなる。
しかも側板の下向鈎片を棚柱の係止孔に挿入係止し、側板の膨出部より柱にピンを差込むするだけで、側板を不動に固定し得るので、その取付け手段も実に簡単容易である。
【図面の簡単な説明】
【図１】本発明における商品陳列台の床台構造を示す断面図である。
【図２】棚柱の要部正面図である。
【図３】副床台構造を示す断面図である。
【図４】間柱の要部正面図である。
【図５】（Ａ）（Ｂ）
側板の構造例を示す正面図と平面図である。
【図６】（Ａ）（Ｂ）
図５のＸ１  −Ｘ１  断面図とＸ２  −Ｘ２  断面図である。
【図７】（Ａ）（Ｂ）
中側板の構造例を示す正面図と平面図である。
【図８】（Ａ）（Ｂ）
図７のＹ１  −Ｙ１  断面図とＹ２  −Ｙ２  断面図である。
【図９】（Ａ）（Ｂ）
側板用展開板と中側板用展開板である。
【図１０】（Ａ）（Ｂ）（Ｃ）（Ｄ）
中側板の加工例を示す一部切欠側面図である。
【図１１】床台の構造例を示す要部断面図である。
【図１２】（Ａ）（Ｂ）
棚柱に対する側板の取付工程図である。
【図１３】間柱に対する中側板の取付例を示す一部切欠平面図である。
【図１４】（Ａ）（Ｂ）
ピンの装着例を示す断面図である。
【図１５】両面式商品陳列台における側板の取付例を示す断面図である。
【図１６】商品陳列台の斜視図である。
１，１０  棚柱
２０  間柱
２，１２，２２  貫通孔
３，１３，２３，３Ａ，３Ｂ  係止孔
４，１４，２４  挿入孔
５，１５  側板
２５  中側板
６，１６，２６，６Ａ，６Ｂ  下向鈎片
７，１７，２７  台板支持部
８，１８，２８  半円膨出部
９，１９，２９  係止爪
３０  台板、３５  前板
５０  展開板
Ｄ  商品陳列台、Ｆ  床台、Ｐ  ピン
Ｇ  高低調整脚
【図１】
0003589750.tif 000002
【図２】
0003589750.tif 000003
【図３】
0003589750.tif 000004
【図４】
0003589750.tif 000005
【図５】
0003589750.tif 000006
【図６】
0003589750.tif 000007
【図７】
0003589750.tif 000008
【図８】
0003589750.tif 000009
【図９】
0003589750.tif 000010
【図１０】
0003589750.tif 000011
【図１１】
0003589750.tif 000012
【図１２】
0003589750.tif 000013
【図１３】
0003589750.tif 000014
【図１４】
0003589750.tif 000015
【図１５】
0003589750.tif 000016
【図１６】
0003589750.tif 000017